(57)【要約】【課題】ペンチやニッパのような開閉動作を伴う工具であって、目的物を確実に照らすことができる照明用ライトが装填された工具を提供する。【解決手段】工具の先端付近に貫通孔２１０を形成し、貫通孔２１０の内部に照明用ライト２１１を埋め込む。スイッチ２２０を操作することにより、照明用ライト２１１をオン・オフすることができる。【選択図】図１
2008183687.tif 000002
【特許請求の範囲】
【請求項１】
第一の部材と、第二の部材と、からなる工具であって、
前記第一の部材と前記第二の部材とを回動中心点を中心として相互に回動可能であるように連結し、前記第一の部材及び前記第二の部材の一端側においてその工具の機能を実行する機能部を構成し、前記第一の部材及び前記第二の部材の他端側において使用者が前記工具を保持するための把手を構成する工具において、
前記第一の部材及び前記第二の部材の少なくともいずれか一方には、前記機能部に前記工具の先端に向かう方向に延びる凹部または貫通孔が形成されており、前記凹部または貫通孔には照明用ライトが内蔵されていることを特徴とする工具。
【請求項２】
前記第一の部材及び前記第二の部材の少なくともいずれか一方の外側表面には前記照明用ライトのオン・オフ用スイッチが配置されていることを特徴とする請求項１に記載の工具。
【請求項３】
前記オン・オフ用スイッチは付勢されている場合のみ、前記照明用ライトをオンにするものであることを特徴とする請求項２に記載の工具。
【請求項４】
前記オン・オフ用スイッチは第一の位置と第二の位置との間をスライド可能であり、前記オン・オフ用スイッチが前記第一の位置にあるときには前記照明用ライトがオンとなり、前記オン・オフ用スイッチが前記第二の位置にあるときには前記照明用ライトがオフとなることを特徴とする請求項２に記載のスイッチ。
【請求項５】
第一の部材と、第二の部材と、からなる工具であって、
前記第一の部材と前記第二の部材とを回動中心点を中心として相互に回動可能であるように連結し、前記第一の部材及び前記第二の部材の一端側においてその工具の機能を実行する機能部を構成し、前記第一の部材及び前記第二の部材の他端側において使用者が前記工具を保持するための把手を構成する工具において、
前記第一の部材及び前記第二の部材の少なくともいずれか一方には、前記機能部に前記工具の先端に向かう方向に延びる凹部または貫通孔が形成されており、前記凹部または貫通孔には照明用ライトが内蔵されており、
前記第一の部材及び前記第二の部材が相互に開く動作と相互に閉じる動作に連動して前記照明用ライトがオン・オフされることを特徴とする工具。
【請求項６】
前記第一の部材と前記第二の部材とが相互に開いたときには前記照明用ライトはオンとなり、前記第一の部材と前記第二の部材とが相互に閉じたときには前記照明用ライトがオフとなることを特徴とする請求項５に記載の工具。
【請求項７】
前記機能部に隣接して平坦な領域が形成されており、前記凹部または貫通孔は前記平坦な領域に形成されていることを特徴とする請求項１乃至６の何れか一項に記載の工具。
【発明の詳細な説明】
【技術分野】
【０００１】
本発明は、目的物を照らすための照明用ライトが設けられた工具に関する。
【背景技術】
【０００２】
目的物を照らすための照明用ライトが設けられた工具の一例として、特開平９−２１６１７５号公報に記載されたドライバーがある。
【０００３】
このドライバーの柄の内部には電池及び豆電球が装填されており、ドライバーの先端を照らすようになっている。
【特許文献１】特開平９−２１６１７５号公報（図１）
【発明の開示】
【発明が解決しようとする課題】
【０００４】
ペンチやニッパのような工具は、一般に、第一の部材と第二の部材とからなり、第一の部材と第二の部材とが回動中心点を中心として相互に回動可能であるように連結され、第一の部材及び第二の部材の一端側においてその工具の機能（例えば、目的物を挟む、あるいは、切断する）を実行する機能部を構成し、第一の部材及び第二の部材の他端側において使用者が工具を保持するための把手を構成している。
【０００５】
このように、回動中心点を中心として二つの構成部材を開閉させることにより、目的物を挟む、あるいは、切断するなどの機能を有する工具においては、上記のドライバーのように把手の部分に豆電球その他の照明用ライトを装填しても、光は二つの構成部材の各々に遮断され、工具の先端までは到達しない。
【０００６】
このため、ペンチやニッパのような第一の部材と第二の部材とからなる工具においては、照明用ライトの取り付け方を新たに考え出すことが必要である。
【０００７】
本発明は、このような点に鑑みてなされたものであり、ペンチやニッパのような開閉動作を伴う工具であって、目的物を確実に照らすことができる照明用ライトが装填された工具を提供することを目的とする。
【課題を解決するための手段】
【０００８】
以下に、「発明の実施の形態」において使用される参照符号を用いて、上述の課題を解決するための手段を説明する。これらの参照符号は、「特許請求の範囲」の記載と「発明の実施の形態」の記載との間の対応関係を明らかにするためにのみ付加されたものであり、「特許請求の範囲」に記載されている発明の技術的範囲の解釈に用いるべきものではない。
【０００９】
上記の目的を達成するため、本発明は、第一の態様として、第一の部材（２０１）と、第二の部材（２０２）と、からなる工具（２００）であって、前記第一の部材（２０１）と前記第二の部材（２０２）とを回動中心点を中心として相互に回動可能であるように連結し、前記第一の部材（２０１）及び前記第二の部材（２０２）の一端側においてその工具（２００）の機能を実行する機能部（２０７、２０８）を構成し、前記第一の部材（２０１）及び前記第二の部材（２０２）の他端側において使用者が前記工具を保持するための把手（２０１ｃ、２０２ｃ）を構成する工具（２００）において、前記第一の部材（２０１）及び前記第二の部材（２０２）の少なくともいずれか一方には、前記機能部（２０７、２０８）に前記工具の先端に向かう方向に延びる凹部または貫通孔（２１０）が形成されており、前記凹部または貫通孔（２１０）には照明用ライト（２１１）が内蔵されていることを特徴とする工具（２００）を提供する。
【００１０】
前記第一の部材（２０１）及び前記第二の部材（２０２）の少なくともいずれか一方の外側表面には前記照明用ライト（２１１）のオン・オフ用スイッチ（２２０）を配置することができる。
【００１１】
例えば、前記オン・オフ用スイッチ（２２０）は付勢されている場合のみ、前記照明用ライト（２１１）をオンにするものとして構成することができる。
【００１２】
前記オン・オフ用スイッチ（３２０）は第一の位置と第二の位置との間をスライド可能であり、前記オン・オフ用スイッチ（３２０）が前記第一の位置にあるときには前記照明用ライトがオンとなり、前記オン・オフ用スイッチ（３２０）が前記第二の位置にあるときには前記照明用ライト（２１１）がオフとなることが好ましい。
【００１３】
本発明は、さらに、第二の態様として、第一の部材（２０１）と、第二の部材（２０２）と、からなる工具（４００）であって、前記第一の部材（２０１）と前記第二の部材（２０２）とを回動中心点を中心として相互に回動可能であるように連結し、前記第一の部材（２０１）及び前記第二の部材（２０２）の一端側においてその工具（４００）の機能を実行する機能部（２０７、２０８）を構成し、前記第一の部材（２０１）及び前記第二の部材（２０２）の他端側において使用者が前記工具（４００）を保持するための把手（２０１ｃ、２０２ｃ）を構成する工具（４００）において、前記第一の部材（２０１）及び前記第二の部材（２０２）の少なくともいずれか一方には、前記機能部（２０７、２０８）に前記工具（４００）の先端に向かう方向に延びる凹部または貫通孔（２１０）が形成されており、前記凹部または貫通孔（２１０）には照明用ライト（２１１）が内蔵されており、前記第一の部材（２０１）及び前記第二の部材（２０２）が相互に開く動作と相互に閉じる動作に連動して前記照明用ライト（２１１）がオン・オフされることを特徴とする工具（４００）を提供する。
【００１４】
前記第一の部材（２０１）と前記第二の部材（２０２）とが相互に開いたときには前記照明用ライト（２１１）はオンとなり、前記第一の部材（２０１）と前記第二の部材（２０２）とが相互に閉じたときには前記照明用ライト（２１１）がオフとなることが好ましい。
【００１５】
前記機能部（２０７、２０８）に隣接して平坦な領域（２０７ａ、２０８ａ）が形成されており、前記凹部または貫通孔（２１０）は前記平坦な領域（２０７ａ、２０８ａ）に形成されていることが好ましい。
【発明の効果】
【００１６】
第一の態様の本発明に係る工具によれば、照明用ライトで本工具の先端付近を照らすことができ、周囲が暗いときであっても、目的物を容易に識別することが可能になり、目的物を確実に挟み込むことができる。
【００１７】
オン・オフ用スイッチを設けることにより、照明用ライトは使用者が任意の時期に点灯及び消灯させることができるため、必要な時期に確実に照明用ライトを点灯させておくことができる。
【００１８】
オン・オフ用スイッチとして、スライド式のスイッチを用いることにより、一旦オン・オフ用スイッチを第一の位置にスライドさせておけば、オン・オフ用スイッチは常に第一の位置にあるため、照明用ライトは点灯し続ける。このため、プッシュ式のオン・オフ用スイッチを用いた場合とは異なり、使用者は目的物を挟み込む作業中にオン・オフ用スイッチを付勢し続けておく必要がなくなり、その分、目的物を挟み込む作業を行いやすくなる。
【００１９】
第二の態様の本発明に係る工具によれば、使用者は、オン・オフ用スイッチを操作することなく、第一の部材及び第二の部材の開閉動作に伴い、自動的に照明用ライトをオン・オフさせることができる。すなわち、使用者は、オン・オフ用スイッチを操作することなく、目的物を挟み込む前に第一の部材及び第二の部材を相互に開くだけで照明用ライトを点灯させることができ、さらに、目的物を挟み込んだときに照明用ライトを消灯させることができる。
【発明を実施するための最良の形態】
【００２０】
（第一の実施形態）
図１は本発明の第一の実施形態に係るラジオペンチ２００の斜視図であり、図２はラジオペンチ２００の分解斜視図である。
【００２１】
図１及び図２に示すように、本実施形態に係るラジオペンチ２００は、第一の部材２０１と、第二の部材２０２と、止めピン２０４と、から構成されている。
【００２２】
止めピン２０４は、図２に示すように、ピン軸２０４ａと、ピン軸２０４ａの一端においてピン軸２０４ａと同心に形成され、ピン軸２０４ａよりも大きな直径を有するヘッド２０４ｂと、から構成されている。
【００２３】
ヘッド２０４ｂにはマイナスのドライバーを挿入するためのスリット２０４ｃが形成されており、ピン軸２０４ａの他端には先端から所定の距離にわたって雄ネジ溝２０４ｄが切られている。
【００２４】
第一の部材２０１及び第二の部材２０２は、例えば、鋼鉄製であり、以下に述べるように、協働してラジオペンチ２００を構成する。
【００２５】
第一の部材２０１は、第二の部材２０２と協働して対象物（図示せず）を挟み込む機能を実行する挟み込み領域を形成する先端部分２０１ａと、第二の部材２０２と回動自在に連結するためのほぼ円筒形状の連結部分２０１ｂと、把手を構成する把手部分２０１ｃと、から構成されている。
【００２６】
同様に、第二の部材２０２は、第一の部材２０１と協働して対象物（図示せず）を挟み込む機能を実行する挟み込み領域を形成する先端部分２０２ａと、第一の部材２０１と回動自在に連結するための連結部分２０２ｂと、把手を構成する把手部分２０２ｃと、からなる。
【００２７】
第一の部材２０１の先端部分２０１ａのうち、第二の部材２０２に対向する面には、挟み込む対象物（図示せず）との間の摩擦力を増すための断面がギザギザ状の鋸歯状面２０７と、平坦な面２０７ａとが先端からこの順番に形成されている。
【００２８】
同様に、第二の部材２０２の先端部分２０２ａのうち、第一の部材２０１に対向する面には、挟み込む対象物（図示せず）との間の摩擦力を増すための断面がギザギザ状の鋸歯状面２０８と、平坦な面２０８ａとが先端からこの順番に形成されている。
【００２９】
第一の部材２０１と第二の部材２０２とを相互に閉じ合わせた場合には、鋸歯状面２０７、２０８が相互に接し合い、平坦な面２０７ａ、２０８ａとが相互に接し合う。
【００３０】
第一の部材２０１の連結部分２０１ｂ及び第二の部材２０２の連結部分２０２ｂはともにほぼ円筒状に形成されている。第二の部材２０２の連結部分２０２ｂには、先端部分２０２ａ及び把手部分２０２ｃと比較して、高さが低くなっている凹部領域２０５が形成されている。この凹部領域２０５に第一の部材２０１の連結部分２０１ｂが嵌合し、第一の部材２０１の連結部分２０１ｂと第二の部材２０２の連結部分２０２ｂとが連結される。
【００３１】
第一の部材２０１の連結部分２０１ｂには第一の部材２０１の回動中心点が存在し、同様に、第二の部材２０２の連結部分２０２ｂには第二の部材２０２の回動中心点が存在している。双方の回動中心点は同一の垂線Ｘ上に位置している。
【００３２】
第一の部材２０１には、回動中心点を中心とし、連結部分２０１ｂの厚さ方向に貫通する孔２０６が形成されている。孔２０６はピン軸２０４ａの直径と同一の内径を有している。このため、止めピン２０４は孔２０６に嵌合することができるようになっている。
【００３３】
第二の部材２０２には、連結部分２０２ｂにおいて、第二の部材２０２の回動中心点を中心として、すなわち、垂線Ｘを中心として貫通孔２０９が形成されている。
【００３４】
貫通孔２０９はピン軸２０４ａの直径と同一の内径を有している。このため、止めピン２０４は貫通孔２０９に嵌合することができるようになっている。
【００３５】
第一の部材２０１と第二の部材２０２とは、以下のようにして、連結される。
【００３６】
まず、第一の部材２０１の連結部分２０１ｂを第二の部材２０２の凹部領域２０５に嵌め合わせる。
【００３７】
次いで、止めピン２０４を孔２０６及び貫通孔２０９に通し、貫通孔２０９の裏側において、止めピン２０４の雄ネジ溝２０４ｄをナット（図示せず）に螺合させる。
【００３８】
これにより、第一の部材２０１と第二の部材２０２とが相互に回転可能な状態で固定される。
【００３９】
第一の部材２０１及び第二の部材２０２の各先端部分２０１ａ、２０２ａが対象物（図示せず）を挟み込むための挟み込み領域を形成し、第一の部材２０１及び第二の部材２０２の把手部分２０１ｃ、２０２ｃは使用者がラジオペンチ２００を保持するための把手を構成する。
【００４０】
図１及び図２に示すように、第二の部材２０２の先端部分２０２ａを構成する平坦面２０８ａには貫通孔２１０が形成されている。
【００４１】
図３は、貫通孔２１０を通る水平面で第二の部材２０２の先端部分２０２ａを切断した場合の断面図である。
【００４２】
貫通孔２１０は、ラジオペンチ２００の先端に向かって、具体的には、第二の部材２０２に対向する第一の部材２０１の先端に向かって、斜めに形成されている。
【００４３】
貫通孔２１０の内部には、図３に示すように、照明用ライト２１１が、その発光面２１１ａがラジオペンチ２００の先端を向くようにして、装填されている。
【００４４】
さらに、第二の部材２０２の把手部分２０２ｃの外側を向く表面には、連結部分２０２ｂに近い位置において、プッシュ式のオン・オフ用スイッチ２２０が設けられている。
【００４５】
また、第二の部材２０２の把手部分２０２ｃには、第一の部材２０１の把手部分２０１ｃに対向する面において、電池ボックス２３０が形成されており、電池ボックス２３０の内部には電池（図示せず）が装填されている。
【００４６】
照明用ライト２１１にはリード線２１２が接続されており、照明用ライト２１１はリード線２１２によってオン・オフ用スイッチ２２０を介して電池ボックス２３０の内部の電池と電気的に接続されている。
【００４７】
図３に示すように、第二の部材２０２の内部にはリード線２１２を通す孔２１３が形成されており、リード線２１２は孔２１３の中に収納されている。
【００４８】
オン・オフ用スイッチ２２０は、その内部に装填されているバネ部材（図示せず）により、常に外側に向かって突出している。
【００４９】
オン・オフ用スイッチ２２０は付勢されると、すなわち、押下されると、オンとなり、電池ボックス２３０の内部の電池の電流を照明用ライト２１１に通電する。これにより、照明用ライト２１１は発光面２１１ａから発光を行う。
【００５０】
オン・オフ用スイッチ２２０の付勢を停止すると、すなわち、押下を停止すると、内部に装填されているバネ部材（図示せず）の作用により、外側に向かって移動し、オフとなる。これにより、電池ボックス２３０の内部の電池の電流は照明用ライト２１１には通電せず、照明用ライト２１１は発光を停止する。
【００５１】
以上のような構造を有する本実施形態に係るラジオペンチ２００は以下のように使用される。
【００５２】
使用者は、ラジオペンチ２００の使用前に、あるいは、ラジオペンチ２００の使用後の適当な時期に、オン・オフ用スイッチ２２０を指で押下してオン・オフ用スイッチ２２０を付勢すると、電池ボックス２３０に内蔵されている電池からリード線２１２を介して照明用ライト２１１に通電が行われ、照明用ライト２１１が点灯する。
【００５３】
貫通孔２１０は、ラジオペンチ２００の先端に向かって、すなわち、第二の部材２０２に対向する第一の部材２０１の先端に向かって、斜めに形成されているため、貫通孔２１０の内部に装填されている照明用ライト２１１の発光面２１１ａもラジオペンチ２００の先端に向いている。
【００５４】
このため、照明用ライト２１１から発せられる光はラジオペンチ２００の先端を照らすため、周囲が暗い場合であっても、使用者はラジオペンチ２００で挟み込もうとしている目的物を容易に識別することができる。従って、使用者は容易に目的物をラジオペンチ２００の第一の部材２０１の先端部分２０１ａ及び第二の部材２０２の先端部分２０２ａの間に挟み込むことができる。
【００５５】
このようにして、目的物をラジオペンチ２００で挟み込んだ後は、オン・オフ用スイッチ２２０から指を離してオン・オフ用スイッチ２２０の付勢を停止すると、電池ボックス２３０に内蔵されている電池から照明用ライト２１１への通電が停止され、照明用ライト２１１は消灯する。
【００５６】
以上のように、本実施形態に係るラジオペンチ２００によれば、照明用ライト２１１でラジオペンチ２００の先端付近を照らすことができ、周囲が暗いときであっても、目的物を容易に識別することが可能になり、目的物を確実に挟み込むことができる。加えて、照明用ライト２１１は使用者が任意の時期に点灯及び消灯させることができるため、必要な時期に確実に照明用ライト２１１を点灯させておくことができる。
【００５７】
本実施形態に係るラジオペンチ２００は上記の構造に限定されるものではなく、種々の改変が可能である。
【００５８】
例えば、本実施形態に係るラジオペンチ２００においては、第一の部材２０１と第二の部材２０２とを回動可能に連結するために止めピン２０４を用いたが、第一の部材２０１と第二の部材２０２とを回動可能に連結するための手段は止めピン２０４には限定されない。第一の部材２０１と第二の部材２０２とを回動可能に連結することができるものである限り、任意の手段を選択することが可能である。
【００５９】
また、本実施形態に係るラジオペンチ２００においては、照明用ライト２１１は第二の部材２０２の内部に設けられているが、第二の部材２０２の代わりに第一の部材２０１の内部に設けてもよく、あるいは、第一の部材２０１及び第二の部材２０２の双方に設けることもできる。
【００６０】
さらに、本実施形態に係るラジオペンチ２００においては、１個の照明用ライト２１１が設けられているが、複数個の照明用ライト２１１を並列に、あるいは、マトリクス状に配置することも可能である。また、照明用ライト２１１を第一の部材２０１及び第二の部材２０２の双方に設ける場合には、第一の部材２０１及び第二の部材２０２の各々に設ける照明用ライト２１１の数及び配列を同じにすることは必ずしも必要ではなく、必要に応じて、異なる数または配列にすることもできる。
【００６１】
また、照明用ライト２１１が発する光の色は特に限定されない。複数の照明用ライト２１１を設ける場合において、必要があるときには、各照明用ライト２１１が発する光の色をそれぞれ異なる色にすることも可能である。
【００６２】
また、本実施形態に係るラジオペンチ２００においては、リード線２１２は、第二の部材２０２の内部に形成された孔２１３の中に収納されているが、第二の部材２０２の外側表面に溝を形成し、その溝の中にリード線２１２を埋め込むことも可能である。
【００６３】
本実施形態に係るラジオペンチ２００においては、第二の部材２０２の先端部分２０２ａにおける鋸歯状面２０８に隣接して平坦面２０８ａを形成し、照明用ライト２１１を埋め込むための貫通孔２１０を平坦面２０８ａに形成しているが、平坦面２０８ａを形成することは必ずしも必要ではない。第二の部材２０２の先端部分２０２ａの全面にわたって鋸歯状面２０８を形成し、その鋸歯状面２０８内に貫通孔２１０を形成することも可能である。
【００６４】
さらに、本実施形態に係るラジオペンチ２００においては、照明用ライト２１１を埋め込むための貫通孔２１０を形成しているが、貫通孔２１０に代えて、照明用ライト２１１を埋め込むことができる程度の凹部を形成することも可能である。
【００６５】
また、本実施形態に係るラジオペンチ２００においては、オン・オフ用スイッチ２２０は第二の部材２０２の把手部分２０２ｃに設けられているが、オン・オフ用スイッチ２２０を設ける位置は必ずしもこの位置には限定されない。使用者が所望する位置にオン・オフ用スイッチ２２０を設けることが可能である。
【００６６】
（第二の実施形態）
図４（Ａ）及び（Ｂ）は、本発明の第二の実施形態に係るラジオペンチに設けられているオン・オフ用スイッチ３２０の正面図である。
【００６７】
上記の第一の実施形態に係るラジオペンチ２００に設けられているオン・オフ用スイッチ２２０をオンにし続けるためには、オン・オフ用スイッチ２２０を付勢し続けなければならない。このため、使用者がラジオペンチ２００で細かな目的物を挟み込もうとしているときに、オン・オフ用スイッチ２２０を付勢し続けることは必ずしも容易ではない場合もある。
【００６８】
このため、本発明の第二の実施形態に係るラジオペンチに設けられているオン・オフ用スイッチ３２０はスライドスイッチとして構成されており、オン・オフ用スイッチをオンにし続けるためにオン・オフ用スイッチを付勢し続ける必要をなくしている。
【００６９】
図４に示すように、本実施形態におけるオン・オフ用スイッチ３２０は、図４（Ａ）に示す第一の位置と図４（Ｂ）に示す第二の位置との間において第二の部材２０２の表面上をスライド可能であるように形成されている。
【００７０】
オン・オフ用スイッチ３２０は、第一の位置にあるときには照明用ライト２１１がオンとなり、第二の位置にあるときには照明用ライト２１１がオフとなるように構成されている。
【００７１】
このように、本実施形態に係るラジオペンチにおいては、一旦オン・オフ用スイッチ３２０を図４（Ａ）に示す第一の位置にスライドさせておけば、オン・オフ用スイッチ３２０は常に第一の位置にあるため、照明用ライト２１１は点灯し続ける。このため、第一の実施形態に係るラジオペンチ２００の場合とは異なり、使用者は目的物を挟み込む作業中にオン・オフ用スイッチを付勢し続けておく必要がなくなり、その分、目的物を挟み込む作業を行いやすくなる。
【００７２】
また、オン・オフ用スイッチ３２０として、スライド式スイッチに代えて、ダイアル式スイッチを用いることもできる。
【００７３】
このダイアル式スイッチは少なくともオンの位置とオフの位置との間を回動可能に構成される。
【００７４】
あるいは、ダイアル式スイッチはオフの位置と複数のオンの位置との間で回動可能に構成することもできる。複数のオンの位置を設けることにより、照明用ライト２１１から発せられる光の強度を変更することができる。
【００７５】
（第三の実施形態）
図５は、本発明の第三の実施形態に係るラジオペンチ４００を閉じた状態を示す部分的な平面図であり、図６は、本発明の第三の実施形態に係るラジオペンチ４００を開いた状態を示す部分的な平面図である。
【００７６】
本実施形態に係るラジオペンチ４００は、第一の実施形態に係るラジオペンチ２００と比較して、プッシュ式のオン・オフ用スイッチ２２０に代えて、回転式スイッチ４１０を用いている。プッシュ式のオン・オフ用スイッチ２２０に代えて回転式スイッチ４１０を用いている点を除いて、本実施形態に係るラジオペンチ４００は第一の実施形態に係るラジオペンチ２００と同一の構造を有している。
【００７７】
本実施形態における回転式スイッチ４１０は、第二の部材２０２の連結部分２０２ｂの上側表面（第一の部材２０１と対向する側の表面）２０２ｂａ（図２参照）にコーティングされた導電絶縁膜（図示せず）と、第一の部材２０１の連結部分２０１ｂの下側表面（第二の部材２０２と対向する側の表面）２０１ｂａ（図２参照）にコーティングされた導電絶縁膜（図示せず）と、第二の部材２０２の連結部分２０２ｂの上側表面にコーティングされた導電絶縁膜上に形成された第一接点４１１（実線で示す。図５及び図６参照）と、第二の部材２０２の連結部分２０２ｂの上側表面にコーティングされた導電絶縁膜上に形成された第二接点４１２（実線で示す。図５及び図６参照）と、第一の部材２０１の連結部分２０１ｂの下側表面にコーティングされた導電絶縁膜上に形成された円弧状接点４１３（破線で示す。図５及び図６参照）と、から形成されている。
【００７８】
なお、第一の部材２０１の連結部分２０１ｂと第二の部材２０２の連結部分２０２ｂとが相互に電気的に絶縁されている場合には、二つの導電絶縁膜は不要である。
【００７９】
図５及び図６に示すように、第一接点４１１及び第二接点４１２は何れも点状の導電性フィルムからなる。第一接点４１１及び第二接点４１２は何れも第二の部材２０２の回動中心点（垂線Ｘ）を中心とする円弧上に位置しており、その円弧上において所定の距離（あるいは、所定の円周角）だけ相互に離れている。
【００８０】
図５及び図６に示すように、第一接点４１１はリード線２１２を介して電池４１４（電池ボックス２３０に内蔵されている電池）の正極に接続されており、第二接点４１２はリード線２１２を介して照明用ライト２１１に接続され、さらに、照明用ライト２１１は電池４１４の負極に接続されている。
【００８１】
図５及び図６に示すように、円弧状接点４１３（破線で示す）は、第一接点４１１及び第二接点４１２と同様に、導電性フィルムからなり、第一の部材２０１の回動中心点（垂線Ｘ）を中心とする円弧形状をなしている。
【００８２】
図５に示すように、本実施形態に係るラジオペンチ４００を構成する第一の部材２０１と第二の部材２０２とが相互に閉じている場合には、円弧状接点４１３は第一接点４１１にのみ接触している。このため、第一接点４１１と第二接点４１２とは相互に電気的には接続されておらず、電池４１４からの電流は照明用ライト２１１には通電せず、照明用ライト２１１は点灯しない。
【００８３】
本実施形態に係るラジオペンチ４００を構成する第一の部材２０１と第二の部材２０２とを徐々に開いていくと、第一接点４１１及び第二接点４１２に対して円弧状接点４１３が反時計方向に回転し、第一の部材２０１と第二の部材２０２とが所定の角度だけ相互に開いたときに、円弧状接点４１３は第一接点４１１及び第二接点４１２の双方に接触する。
【００８４】
これにより、第一接点４１１と第二接点４１２とが円弧状接点４１３を介して相互に電気的に接続し、電池４１４からの電流が照明用ライト２１１に通電し、照明用ライト２１１が点灯する。
【００８５】
以後、図６に示すように第一の部材２０１と第二の部材２０２とを最大角度に開くまでの間、第一接点４１１と第二接点４１２とは円弧状接点４１３を介して相互に電気的に接続している状態を維持する。すなわち、電池４１４からの電流は照明用ライト２１１に通電し、照明用ライト２１１は点灯し続ける。
【００８６】
逆に、図６に示すように第一の部材２０１と第二の部材２０２とを最大角度に開いた状態から第一の部材２０１と第二の部材２０２とを閉じていくと、円弧状接点４１３は第一接点４１１及び第二接点４１２に対して時計方向に回転し、第一の部材２０１と第二の部材２０２との間の角度が前述の所定の角度に達するまでの間、電池４１４からの電流は照明用ライト２１１に通電し、照明用ライト２１１は点灯し続ける。
【００８７】
第一の部材２０１と第二の部材２０２とがさらに相互に閉じられ、第一の部材２０１と第二の部材２０２との間の角度が前述の所定の角度より小さくなると、円弧状接点４１３は第二接点４１２から離れ、第一接点４１１にのみ接触する位置（図５に示す位置）に移行する。円弧状接点４１３がこの位置に到達すると、第一接点４１１と第二接点４１２とは相互に電気的には接続されない状態になり、電池４１４からの電流は照明用ライト２１１には通電せず、照明用ライト２１１は消灯する。
【００８８】
以上のように、本実施形態に係るラジオペンチ４００は回転式スイッチ４１０を備えているため、第一の部材２０１及び第二の部材２０２が相互に開く動作と相互に閉じる動作に連動して照明用ライト２１１がオン・オフされる。具体的には、第一の部材２０１と第二の部材２０２とが相互に開いたときには照明用ライト２１１はオンとなり、第一の部材２０１と第二の部材２０２とが相互に閉じたときには照明用ライト２１１がオフとなる。
【００８９】
このため、本実施形態に係るラジオペンチ４００においては、上述の第一及び第二の実施形態に係るラジオペンチとは異なり、オン・オフ用スイッチ２２０、３２０を操作することなく、第一の部材２０１及び第二の部材２０２の開閉動作に伴い、自動的に照明用ライト２１１がオン・オフされる。
【００９０】
すなわち、使用者は、オン・オフ用スイッチを操作することなく、目的物を挟み込む前に第一の部材２０１及び第二の部材２０２を相互に開くだけで照明用ライト２１１を点灯させることができ、さらに、目的物を挟み込んだときに（第一の部材２０１及び第二の部材２０２がそれらの間に目的物を挟み込んだ状態では、第一の部材２０１及び第二の部材２０２との間の角度は前述の所定の角度になっている）、照明用ライト２１１を消灯させることができる。
【００９１】
なお、照明用ライト２１１が点灯を開始する角度（第一の部材２０１及び第二の部材２０２との間の角度）及び照明用ライト２１１が消灯する角度は円弧状接点４１３の長さ（第一の部材２０１の回動中心点を中心とする円弧に沿った長さ）あるいは第一接点４１１と第二接点４１２との間の距離（第二の部材２０２の回動中心点を中心とする円弧に沿った長さ）を変えることにより、所望の角度に設定することが可能である。
【００９２】
なお、本実施形態に係るラジオペンチ４００は上記のような構造の回転式スイッチ４１０を用いたが、第一の部材２０１及び第二の部材２０２が相互に開く動作と相互に閉じる動作に連動して照明用ライト２１１をオン・オフすることができるスイッチであれば、いかなる構造のスイッチであっても使用可能である。
【産業上の利用可能性】
【００９３】
上記の第一乃至第三の実施形態においては、本発明を適用する対象として、ラジオペンチを選択したが、本発明の適用対象はラジオペンチには限定されない。
【００９４】
第一の部材と、第二の部材と、からなる工具であって、第一の部材と第二の部材とを回動中心点を中心として相互に回動可能であるように連結し、第一の部材及び第二の部材の一端側においてその工具の機能を実行する機能部（上述の第一の実施形態における先端部分２０１ａ、２０２ａに相当する部分）を構成し、第一の部材及び第二の部材の他端側において使用者が工具を保持するための把手（上述の第一の実施形態における把手部分２０１ｃ、２０２ｃに相当する部分）を構成する工具であれば、いかなる工具に対しても本発明を適用することが可能である。
【００９５】
例えば、ラジオペンチの他に、通常のペンチ、ニッパ、ケーブルカッター、エンビ管カッター、ダクトカッターなどに本発明を適用することが可能である。
【００９６】
なお、ラジオペンチとは先端が先細になっている形状を有するものを指し、通常のペンチとはラジオペンチ以外のものを指す。
【図面の簡単な説明】
【００９７】
【図１】本発明の第一の実施形態に係るラジオペンチの斜視図である。
【図２】本発明の第一の実施形態に係るラジオペンチの分解斜視図である。
【図３】本発明の第一の実施形態に係るラジオペンチにおいて、貫通孔を通る水平面で第二の部材の先端部分を切断した場合の断面図である。
【図４】図４（Ａ）及び（Ｂ）は、本発明の第二の実施形態に係るラジオペンチに設けられているオン・オフ用スイッチの正面図である。
【図５】本発明の第三の実施形態に係るラジオペンチを閉じた状態を示す部分的な平面図である。
【図６】本発明の第三の実施形態に係るラジオペンチを開いた状態を示す部分的な平面図である。
【符号の説明】
【００９８】
２００  本発明の第一の実施形態に係るラジオペンチ
２０１  第一の部材
２０１ａ  先端部分
２０１ｂ  連結部分
２０１ｃ  把手部分
２０２  第二の部材
２０２ａ  先端部分
２０２ｂ  連結部分
２０２ｃ  把手部分
２０４  止めピン２０４
２０４ａ  ピン軸
２０４ｂ  ヘッド
２０４ｃ  スリット
２０４ｄ  雄ネジ溝
２０５  凹部領域
２０６  孔
２０７、２０８  鋸歯状面
２０９  貫通孔
２１０  貫通孔
２１１  照明用ライト
２１２  リード線
２１３  孔
３２０  第二の実施形態におけるオン・オフ用スイッチ
４００  本発明の第三の実施形態に係るラジオペンチ
４１１  第一接点
４１２  第二接点
４１３  円弧状接点
４１４  電池
【図１】
2008183687.tif 000003
【図２】
2008183687.tif 000004
【図３】
2008183687.tif 000005
【図４】
2008183687.tif 000006
【図５】
2008183687.tif 000007
【図６】
2008183687.tif 000008